(57)【要約】【課題】選択画面にて複数の模様を選択してから編集画面を表示したときに、編集画面上にてレイアウト操作を行いやすくする刺繍ミシンを提供することを目的としている。【解決手段】  模様を複数選択してから、編集画面に切り換えたときに、選択されたすべての模様が初期位置として編集画面の縫製領域の中心に重なって表示されるのを、簡単な操作により、すべての選択模様が縫製領域内に自動的に適宜に散らばって表示する振り分け制御を採用したことによって、模様を移動するための指定操作をした場合に、指定された一の模様を容易に確認できると共に、この指定模様をミシンで刺繍するための所望の位置に移動する操作を直ちに正確に行うことができる。【選択図】  図３
2005095304.tif 000002
【特許請求の範囲】
【請求項１】
複数の模様に対する刺繍縫いデータ及び表示データを記憶した縫いデータ記憶手段と、
前記複数の模様の中から任意の模様を選択する模様選択手段と、
前記模様選択手段で選択された複数の模様と、各模様の配置位置として初期位置又は書き換え後の位置を記憶する選択模様記憶手段と、
前記選択模様記憶手段に記憶された模様を記憶された配置位置で表示する表示手段と、
前記表示手段に表示された複数の選択模様から任意の模様の位置を移動するように指示すると、前記選択模様記憶手段に記憶した前記模様の配置位置を移動後の配置位置に書き換えるレイアウト手段と、
前記表示手段に各模様の全部又は一部の形象が表示されるように各模様の配置位置を演算し、前記選択模様記憶手段に記憶された各模様の配置位置をこの演算された新たな配置位置に書き換えるように指示する振り分け指示手段と、
前記選択模様記憶手段に記憶された模様の縫いデータを記憶された配置位置に基づいて、布を支持した刺繍枠をＸＹに移動することにより布に刺繍縫い目を形成する縫製手段とを備えたことを特徴とする刺繍ミシン。
【請求項２】
複数の模様に対する刺繍縫いデータ及び表示データを記憶した縫いデータ記憶手段と、
模様を表示するための表示手段と、
表示手段に選択画面を表示して、表示手段に表示された前記複数の模様の中から任意の模様を選択する模様選択手段と、
前記模様選択手段で選択された複数の模様と、各模様の配置位置として初期位置又は書き換え後の位置を記憶する選択模様記憶手段と、
前記選択模様記憶手段に記憶された模様を記憶された配置位置で表示して模様を編集する編集画面を表示して、表示手段に表示された模様の編集を行う模様編集手段と、
前記表示画面を選択画面から編集画面に切り換え操作可能な切り換え手段と、
前記切り換え手段の操作により編集画面を表示するときに、表示手段に表示する各選択模様の全部又は一部の形象が表示されるように各模様の配置位置を演算し、前記選択模様記憶手段に記憶された各模様の配置位置をこの演算された新たな配置位置に書き換える初期振り分け手段とを備えたことを特徴とする刺繍ミシン。
【請求項３】
振り分け指示手段又は初期振り分け手段により２回以上振り分けを行ったときは、前回演算した各模様の配置位置と異なる配置位置を演算して、前記選択模様記憶手段に記憶された各模様の配置位置を再度書き換えることを特徴とする請求項１又は２に記載の刺繍ミシン。
【請求項４】
振り分け指示手段又は初期振り分け手段により振り分けを指示すると、表示手段に選択された各模様の形象全体が表示されるように配置位置を演算し、前記形象の一部又は全部が表示できない模様がある場合には、形象全体が表示される模様の配置位置を前記選択模様記憶手段に書き換えると共に、表示手段に表示することを特徴とする請求項１乃至３のいずれかに記載の刺繍ミシン。
【請求項５】
振り分け指示手段又は初期振り分け手段により２回以上振り分けを行ったときに、前記形象の一部又は全部が表示できない模様がある場合には、表示手段に表示する模様を、前回振り分け時に表示されなかた模様のうち少なくとも一部の模様と入れ替えることを特徴とする請求項４に記載の刺繍ミシン。
【発明の詳細な説明】
【技術分野】
【０００１】
本発明は、刺繍ミシンであって、特に複数選択された模様のレイアウト操作に関する。
【背景技術】
【０００２】
従来から、文字及びワンポイント模様といった小模様から、大形模様まで種々用意された模様を、それぞれの模様に対応した刺繍縫いデータに基づいて、布に刺繍縫い目を形成することができる刺繍ミシンが提供されている。
【０００３】
【特許文献１】特開平９−２９００８３号公報
【発明の開示】
【発明が解決しようとする課題】
【０００４】
このようなミシンでは、ミシンに備えた液晶表示装置の前面に透明タッチスイッチが配置されている。この液晶表示画面に所望の刺繍模様を選択するための選択画面が表示され、ここで操作者は多くの模様表示の中から所望の模様が表示された位置を押圧すると、ミシンは押圧されたタッチスイッチの位置に対応した模様を判別して選択模様として記憶する。
【０００５】
次に作業者は前記表示装置を編集画面に切り換える。この編集画面は、ミシンに装着した刺繍枠に対応した縫製領域とその縫製領域内に前記選択模様が表示され、さらに縫製領域に隣接して模様の移動を指示する８方向に移動指示可能なレイアウトキーが表示される。
【０００６】
模様選択された直後の編集画面には模様の配置位置が初期位置として縫製領域の中央に表示されている。そこで、作業者は前記レイアウトキーを操作して選択した模様を布に対して縫製すべき任意の配置位置に移動するレイアウト操作を行うと、編集画面上に表示された選択模様が操作された方向に移動するように表示される。その後にミシンのスタートスイッチを操作するとミシンは前記レイアウトされた位置で選択模様を順次縫製する。
【０００７】
しかしながら、上記従来例では、選択模様を複数選んで個別にレイアウト操作する場合に、模様選択を連続して複数行なってから、編集画面に切り換えると、選択された模様が初期位置としてすべて縫製領域の中心で重なって表示されるため、実際に選択された複数の模様を確認することができない状態となっていた。
また、選択模様を移動するために移動対象となる一の模様を指定する操作を行うと、指定された模様の濃度表示を非指定模様と変えて表示することにより、作業者が指定模様を識別できるようになっているが、複数模様が重なった表示状態ではこの指定模様が判別できない問題があった。
【０００８】
そのため、操作者はとりあえず適当に移動対象の一の模様を指定し、この模様を前記レイアウトキーを操作して表示画面の中心位置から周辺に移動する作業を、すべての模様について順次行うことにより、個々の模様の形象が判別できるようにする。その後、再度個々の模様を指定してレイアウトキーを操作し、ミシンで刺繍するための所望の位置に移動する操作が必要であった。前記選択画面により模様を連続して３０〜４０個も選択した場合にはこの作業が大変時間のかかる煩わしい作業になっていた。
【０００９】
さらに、この移動対象の一の模様を指定した場合に、その模様が表示されている位置に対応する刺繍枠の位置が針下位置になるように、ミシンのＸＹモータを駆動して刺繍枠が自動的に移動される。次にレイアウトキーを操作して模様を移動表示させると、その移動操作に対応してＸＹモータを駆動して刺繍枠を移動するため、メカ系の騒音が激しいという問題があった。
【００１０】
本発明は、選択画面にて模様を複数選択してから編集画面に切り換えたときに、選択されたすべての模様が初期位置として編集画面の縫製領域の中心に重なって表示されているのを、簡単な操作により、すべての選択模様が縫製領域内に自動的に適宜に散らばって表示することによって、模様を移動するための指定操作をした場合に、指定された一の模様を容易に確認できると共に、この指定模様をミシンで刺繍するための所望の位置に移動する操作を直ちに正確に行うことができる刺繍ミシンを提供することを目的とする。
【課題を解決するための手段】
【００１１】
上記目的を達成するために、本発明の請求項１に記載の刺繍ミシンでは、複数の模様に対する刺繍縫いデータ及び表示データを記憶した縫いデータ記憶手段と、前記複数の模様の中から任意の模様を選択する模様選択手段と、前記模様選択手段で選択された複数の模様と、各模様の配置位置として初期位置又は書き換え後の位置を記憶する選択模様記憶手段と、前記選択模様記憶手段に記憶された模様を記憶された配置位置で表示する表示手段と、前記表示手段に表示された複数の選択模様から任意の模様の位置を移動するように指示すると、前記選択模様記憶手段に記憶した前記模様の配置位置を移動後の配置位置に書き換えるレイアウト手段と、前記表示手段に各模様の全部又は一部の形象が表示されるように各模様の配置位置を演算し、前記選択模様記憶手段に記憶された各模様の配置位置をこの演算された新たな配置位置に書き換えるように指示する振り分け指示手段と、前記選択模様記憶手段に記憶された模様の縫いデータを記憶された配置位置に基づいて、布を支持した刺繍枠をＸＹに移動することにより布に刺繍縫い目を形成する縫製手段とを備えたものである。
【００１２】
本発明の請求項２に記載の刺繍ミシンでは、複数の模様に対する刺繍縫いデータ及び表示データを記憶した縫いデータ記憶手段と、模様を表示するための表示手段と、表示手段に選択画面を表示して、表示手段に表示された前記複数の模様の中から任意の模様を選択する模様選択手段と、前記模様選択手段で選択された複数の模様と、各模様の配置位置として初期位置又は書き換え後の位置を記憶する選択模様記憶手段と、前記選択模様記憶手段に記憶された模様を記憶された配置位置で表示して模様を編集する編集画面を表示して、表示手段に表示された模様の編集を行う模様編集手段と、前記表示画面を選択画面から編集画面に切り換え操作可能な切り換え手段と、前記切り換え手段の操作により編集画面を表示するときに、表示手段に表示する各選択模様の全部又は一部の形象が表示されるように各模様の配置位置を演算し、前記選択模様記憶手段に記憶された各模様の配置位置をこの演算された新たな配置位置に書き換える初期振り分け手段とを備えたものである。
【００１３】
本発明の請求項３に記載の刺繍ミシンでは、振り分け指示手段又は初期振り分け手段により２回以上振り分けを行ったときは、前回演算した各模様の配置位置と異なる配置位置を演算して、前記選択模様記憶手段に記憶された各模様の配置位置を再度書き換えるものである。
【００１４】
本発明の請求項４に記載の刺繍ミシンでは、振り分け指示手段又は初期振り分け手段により振り分けを指示すると、表示手段に選択された各模様の形象全体が表示されるように配置位置を演算し、前記形象の一部又は全部が表示できない模様がある場合には、形象全体が表示される模様の配置位置を前記選択模様記憶手段に書き換えると共に、表示手段に表示するものである。
【００１５】
本発明の請求項５に記載の刺繍ミシンでは、振り分け指示手段又は初期振り分け手段により２回以上振り分けを行ったときに、前記形象の一部又は全部が表示できない模様がある場合には、表示手段に表示する模様を、前回振り分け時に表示されなかた模様のうち少なくとも一部の模様と入れ替えるものである。
【発明の効果】
【００１６】
請求項１の刺繍ミシンは、表示手段に表示された複数の選択模様を、各模様の形象が全部又は一部が表示されるように表示位置を自動的に移動するため、手作業で重なった模様を一つ一つ移動する作業を解消することができる。
【００１７】
請求項２の刺繍ミシンは、表示手段を模様選択するための選択画面から選択模様の配置位置を操作する編集画面に切り換えたときに、振り分け手段を自動的に実行された後の編集画面が表示されるので、編集作業が極めて容易にすることができる。
【００１８】
請求項３の刺繍ミシンは、その後に行うレイアウト操作に近似した位置に予め振り分けることができるので、レイアウト操作を容易にすることができる。
【００１９】
請求項４の刺繍ミシンは、編集画面上に模様が重ならないように表示できるため、選択模様が多すぎることが直ちに認識でき、選択模様の再選択を容易に行うことができる。
【００２０】
請求項５の刺繍ミシンは、編集画面上に模様が重ならないように表示したときの、選択模様が多すぎて表示できない模様を選択することができるので、選択模様の再選択の手数を省略することができる。
【発明を実施するための最良の形態】
【００２１】
以下、図面を参照して本発明に係る刺繍ミシンについて、その実施の形態例について説明する。
【００２２】
図１は、本発明に係る刺繍ミシンの制御ブロック図、図２乃至図４は本発明のフローチャートである。
【００２３】
１はミシン本体に設けられた制御手段としてのＣＰＵ、２はミシン主軸を回転して針を上下動させ、同時に布送り歯を布送り運動させるためのミシンモータ、３はミシン本体の縦胴部に設けられた液晶表示装置（表示手段）である。
【００２４】
４はミシン本体に着脱可能に装着された刺繍装置に内装され、布を支持する刺繍枠をＸＹに移動するためのＸＹモータである。ミシン本体に前記刺繍装置を装着するとミシン本体に設けた前記ＣＰＵ１とコネクタを通じて通電可能となると共に、ＣＰＵ１は、刺繍装置の装着を検出して、前記刺繍装置の非装着時における送り歯を駆動して縫い目形成する実用縫いモードから、刺繍枠をＸＹモータにより駆動して縫い目形成する刺繍モードに切り換える。刺繍モードになると、後述する模様選択操作時において、選択画面を実用縫い用の模様表示から刺繍縫い用の模様に変更すると共に、選択模様の編集画面が表示可能になり、縫製時にはミシンモータの回転により針の上下動を行いながら送り歯の送り運動が停止され、ＸＹモータが駆動され刺繍縫い目を形成するように構成されている。
【００２５】
５はミシンの顎部に配置したスタートストップスイッチ、６は前記液晶表示装置の前面に配置された透明タッチスイッチであり、液晶表示装置に表示されたスイッチを押すと、透明タッチスイッチ６がこれを検出してそのスイッチの機能を実行するようにＣＰＵ１に指令信号が入力されるように構成してある。
【００２６】
７は主軸に装着され、針の上位置、下位置及び所定の回転角度を検出してＣＰＵ１に主軸の位置信号を入力する主軸検出器であり、ＣＰＵ１は刺繍縫い中に主軸検出器７から位置信号を受信して針が上下動したことを検出するたびに、刺繍縫いデータに基づいて前記ＸＹモータを駆動して刺繍枠を一縫い目分移動することにより縫い目形成が行われる。
【００２７】
８は複数の刺繍模様の刺繍縫いデータ及び表示データ、縫製実行プログラム、及び後述する刺繍縫い模様の選択、編集操作を実行するためのプログラムを記憶したＲＯＭ（縫いデータ記憶手段）であり、９は操作中に発生した情報として、選択模様や配置位置、その他フラグ、カウンタ値などの情報を一時的に記憶するＲＡＭ（選択模様記憶手段）である。
【００２８】
次に、上記刺繍モードに設定されたミシンの模様選択及び編集について説明する。
刺繍モード時にミシンは液晶表示装置に、複数の刺繍模様を表示する模様表示部と選択模様表示部とを備えた選択画面を表示する。作業者が模様表示部に表示された任意の模様を押圧操作すると、ＣＰＵ１はその操作を検出して、押圧位置に対応した選択模様を判別して、ＲＡＭ９に記憶すると共に、選択模様表示部にその模様の形象を表示する（模様選択手段）。
【００２９】
選択した刺繍模様が文字であり、例えば「ＡＢＣ」のように複数の文字を連続して選択した場合には、ＣＰＵ１は「ＡＢＣ」を一の模様と判別してＲＡＭ９に記憶すると共に、選択模様表示部に文字「ＡＢＣ」の形象を表示する。
【００３０】
文字を選択する途中で、液晶表示装置に表示された「区切り」キーを操作した場合であって、例えば、「Ａ」、「Ｂ」、「区切り」、「Ｃ」を押圧操作した場合には、「区切り」キーを操作した前後の模様を別の模様として判別し、「ＡＢ」と「Ｃ」の独立した二の模様が選択されたものとしてＲＡＭ９に記憶すると共に、選択模様表示部に「ＡＢ、Ｃ」のように、文字「ＡＢ」と区切りマーク「、」と文字「Ｃ」の形象を表示する。
【００３１】
また、ワンポイント模様のような小型の刺繍模様や、縫い目数が多い大形の刺繍模様を複数連続して選択した場合には個々の模様を個別に一の模様としてＲＡＭ９に記憶すると共に、選択された模様の形象を選択順に並べて表示する。
刺繍模様として前記文字やワンポイント模様などを混在させて選択してもよい。
図５は模様選択の例として、独立した３文字の模様と、３個の図形模様を表す。
【００３２】
このようにして、作業者が所望の模様選択を終了したときに、選択画面に表示された「編集」キー（切り換え手段）を操作すると、ＣＰＵ１は、液晶表示装置３の表示を選択画面から編集画面に切り換える。
【００３３】
編集画面による編集操作（模様編集手段）を図２に示すフローチャートに基づいて説明する。
編集画面には、ミシンに装着した刺繍枠内にミシンが刺繍可能な縫製領域を示す囲み表示と、振り分けキー、模様指定キー、レイアウトキー、中心キー、枠端キー、拡大キー、縮小キー、回転キー、組合せキー、編集終わりキーが表示されている。
【００３４】
模様選択された直後の編集画面には模様の配置位置が初期位置として縫製領域の中央に表示されている。図６は上記図５で６個の模様を選択した後、編集画面に切り換えた時の編集画面の表示状態であり、選択模様の中心が全て縫製領域の中央位置に表示され、最後に選択した丸図形の陰影と、この丸図形からはみ出す模様の陰影が表示されている。模様を囲む四角形状の線は縫製領域を表す。
【００３５】
次に、作業者は選択模様を刺繍すべき所定位置に移動するための前準備として、模様の振り分けを行う。
模様を振り分けるアルゴリズムは、模様の大きさを演算して模様を所定方向に順次重ならないように、つめて又は所定間隔を空けて並べていく。
振り分けの実行は振り分けキー（振り分け指示手段）を操作する（Ｓ１）ことにより行う。
【００３６】
ＣＰＵ１は、前記図６に示すように縫製領域内の中心に重なった選択模様を、図７に示すように縫製領域内で順次模様を並べる振り分け制御（Ｓ２）を実行する。この振り分けは何度も実行可能であり、振り分けを指示するたびに各模様の振り分け位置が縫製領域内でずれるようにして、その後に行う模様の刺繍位置へ移動するレイアウト移動作業時に、所望の刺繍位置に近い位置を選択できるようにする。模様の位置をずらすアルゴリズムは、縫製領域内で振り分けた模様を、振り分けするたびに一模様ずれるようにする。
【００３７】
そのため、振り分けキーの操作回数をカウントして、振り分けを開始する模様を決定する。振り分けキー操作カウンタＮは、初期値＝０であり、１加算されてＮ＝１となる（Ｓ１０）。振り分けする模様を決定するための振り分けカウンタＭに前記Ｎ値を読み込む（Ｓ１１）。
【００３８】
次に、振り分けの演算を開始する。今回はＭ＝１であるから、ＲＡＭ９に模様の選択順に記憶された「Ａ」から「丸模様」の前記６個の選択模様のうち、第１番目の模様「Ａ」を読出す（Ｓ１２）。
次に、模様の大きさとして模様の縦横の最大値によって囲まれる四角枠（囲み枠）を演算して（Ｓ１３）、縫製領域の左上に配置するように演算する（Ｓ１４）。模様のはみ出し判別をして（Ｓ１５）から、その配置位置をＲＡＭ９に記憶すると共に、編集画面の左上に「Ａ」を配置する表示を行う（Ｓ１６）。
【００３９】
次に、振り分け終了した模様数をカウントし（Ｓ１８）、振り分け終了した模様数は１であり、選択模様数６と相違するので振り分け終了とはならず（Ｓ１９）、振り分けカウンタＭに１加算して、Ｍ＝２となり、２番目の模様が読み出される（Ｓ２０）。
以降同様にして、２番目の模様「Ｂ」をＲＡＭ９から読込み、大きさを演算して、前記「Ａ」の左に重ならないように、かつ所定間隔を空けて順次配列していく演算が繰り返される。その後、Ｓ１４における振り分け位置の演算は、縫製領域の右端に模様の前記囲み枠が重なるときは、「Ａ」の下方に所定間隔を空けて配列してから再度右側に並べることを繰り返すものである。こうして図７に示す振り分け表示が行われる。
【００４０】
もしも、選択模様数が多く、模様が縫製領域の右下からはみ出す場合には（Ｓ１５）、これを判別して、はみ出す模様の形象と、模様選択の無効、又は重なり表示の許可を作業者に表示する。作業者が、模様選択の無効を指示すると当該模様をＲＡＭから消去することなく非表示、被縫製のフラグを立てる。また、作業者が重なり表示を支持すると、各模様の囲み枠が一部重なるように模様を詰めるような配置位置を演算して、その配置位置をＲＡＭ９に記憶すると共に、編集画面の配置位置に模様表示を行う（Ｓ１６）
こうして上記6個の選択模様の振り分けによる配置位置を決定すると、模様数カウンタは６となり（Ｓ１８）、６個の選択模様の振り分け終了判別により（Ｓ１９）、編集画面に戻る。
【００４１】
ここで、再度振り分けキー（Ｓ１）を操作した場合には、振り分け開始模様カウンタがＮ＝２となり、Ｍに「２」が入力されて、振り分け模様選択が第２番目の選択模様「Ｂ」から開始される（Ｓ１０〜１２）。「Ｂ」の大きさを演算した後、その模様の中心が図８に示すように縫製領域の左上に配置される（Ｓ１４〜１９）。次にＭ＝３となり、第３番目の選択模様「Ｃ」が読み出され、その模様の中心が前記「Ｂ」の右に配置される。同様にして、「Ａ」〜「三角図形」まで５個の選択模様の配置が決定されると、Ｓ２０でＭに１加算されるとＭ＝７になるが、選択模様の数６を越えるためにＭ＝１と初めの選択模様を判別されて（Ｓ２０）、第１番目の選択模様「Ａ」が読み出され、図８のように右下に配置される。（Ｓ１４）。そして、模様数カウンタは６となり（Ｓ１８）、選択模様数６と同じことから振り分け終了判別により（Ｓ１９）、編集画面に戻る。
【００４２】
このように、振り分けキーを複数回操作すると、選択模様の配置位置が操作のたびに縫製領域の表示内で一つづれるようにして表示されるので、この後に操作するレイアウト操作を行いやすい位置に予め振り分け位置を選択することができる。
【００４３】
次に、作業者は縫製領域内に表示されている複数の模様から一の模様を指定する模様指定キーを操作する（Ｓ３）。指定キーの操作は複数回可能であり、操作1回目は、第１に選択された模様「Ａ」の表示濃度が変更されて指定されたことを反転表示する。指定操作を何度も繰り返すことで選択された順に模様が反転表示される。前記振り分け制御により全模様が認識可能に表示されていることから、指定模様を確実に判別できる。
【００４４】
次に、レイアウトキーとして８方向のスイッチを操作して前記模様指定キーで指定した模様を布に対する任意の配置位置に移動するレイアウト操作を行うと、編集画面上に表示された選択模様が操作された方向に所定移動量を移動するように表示される。
こうして、配置位置を移動したい模様を模様指定キーで指定してレイアウトキーで移動操作することで、すべての選択模様を個別に所定の配置位置に移動可能である。
【００４５】
また、編集画面に選択模様が表示されているときに、新たな模様を追加選択するときは、組合せキー（Ｓ９）を操作すると、既に選択した模様が表示されている選択画面に戻ることができる。
また、編集画面で、前記レイアウトキー、振り分け指示キーによる編集操作の他、拡大キー又は縮小キーを操作して表示されている模様を拡大表示又は縮小表示を行い、また回転キーを操作して表示されている模様を所定方向に所定角度回転する（Ｓ７、Ｓ８）ようにして模様に対して所望の編集作業を実行する。
【００４６】
こうして模様の編集が終了すると、編集終わりキーを操作する（Ｓ１１）。表示画面は縫製画面に変わり、選択模様のレイアウト表示と、縫製する模様を構成する複数の色パーツが縫製順に表示され、さらに縫製時間が表示される。次に、操作者はスタートストップスイッチ５操作するとミシンは前記レイアウトされた位置で選択模様を選択順に順次読み出して縫製する。
【００４７】
なお、上記選択模様の振り分け手段による振り分け作業を振り分けキーの１回、又は複数回の操作によって行うことを説明したが、選択画面から編集画面に切り換えたときに自動的に振り分けを実行してもよい（初期振り分け手段）。
即ち、図４は、図３に示す編集画面に表示を切り換えるときに振り分け作業を実行する実施例を示す。振り分け作業を自動実行する条件として、選択模様が例えば２以上ある場合であって（Ｓ３０）、初期値として複数の選択模様が縫製領域の中心に重なって配置されている場合には、編集画面を表示する前に、予め図３に示す振り分け制御を１回行い（Ｓ３１）、振り分け後にＲＡＭ９に書き換えられた新たな配置位置で（Ｓ１６）、選択模様を編集画面に表示する（Ｓ３２）。これによって、前記レイアウトキーによるレイアウト操作を編集画面が表示された後直ちに行うことができ、編集作業の利便性を向上することができる。
【００４８】
上記実施例では、選択模様の振り分けアルゴリズムは、模様の大きさとして模様の縦横の最大値によって描く四角枠を演算して、複数の選択模様を左上から右方に順次隣接して、又は所定間隔空けて配置し、右端に重なるときはその下方から同様に繰り返すように配置したが、これに限るものではない。
【００４９】
例えば、模様の大きさの演算は模様の実際の形状を用いてもよく、この場合模様に凹凸があるときはその凹みに次の選択模様が入る場合には模様を入れるように配置してもよい。
【００５０】
また、模様を並べる開始位置は左上に限らず、左下、右上、右下いずれでもよく、並べる方向は右方に限らず、左方、または上方、下方へと、開始位置と共に自由な組合せが可能である。
【００５１】
また、縫製領域内で模様の振り分け位置を縫製領域内に予め例えばマトリクスに固定状にして、選択模様を順次それぞれの位置に当てはめるように配置位置を記憶するようにしてもよい。
【００５２】
その他、模様の大きさにあわせて模様を順次配列する場合や、固定状に配列する場合において、その配列形状を複数の模様によって丸型にしたり、縫製領域の外周を囲むようにしたり、上方又は下方に片寄って配置することにより、その後のレイアウト操作を行いやすくすることができる。
【００５３】
また、模様の大きさを判別したときに、縫製領域の半分以上を占める大きな模様は中心近くに配置して小さな模様をその周辺に配置してもよい。
【００５４】
また、模様の並び順を変更する場合に、振り分けのたびに一模様ずらすのではなく、２模様或いは３模様のように複数の模様をずらすか、ずらす模様の数を作業者が予め入力してずらしてもよい。或いは乱数を用いて次に移動する選択模様を決定するようにしてもよい。
【００５５】
さらに、すべての模様を互いに重ならないように振り分けることを説明したが、模様の一部が重なって表示されてもよい。即ち、模様によっては模様と模様が重なるようにレイアウト操作することもあるからであり、その時に模様を指定したときに、判別できれば良いためである。
【図面の簡単な説明】
【００５６】
【図１】本発明に係る刺繍ミシンの制御ブロック図
【図２】本発明に係る刺繍ミシンの編集画面の操作フローチャートである。
【図３】本発明の振り分け制御のフローチャートである。
【図４】本発明の振り分け制御のフローチャートである。
【図５】模様選択された状態を示す選択画面の表示例である
【図６】図５で選択された模様を編集画面に切り換えて表示した例である
【図７】図５で選択された模様を振り分け制御した編集画面の第１の表示例である
【図８】図５で選択された模様を再度振り分け制御した編集画面の第２の表示例である
【符号の説明】
【００５７】
１  ＣＰＵ
２  ミシンモータ
３  液晶表示装置
４  ＸＹモータ
５  スタートストップスイッチ
６  透明タッチスイッチ
７  主軸検出器
８  ＲＯＭ
９  ＲＡＭ
【図１】
2005095304.tif 000003
【図２】
2005095304.tif 000004
【図３】
2005095304.tif 000005
【図４】
2005095304.tif 000006
【図５】
2005095304.tif 000007
【図６】
2005095304.tif 000008
【図７】
2005095304.tif 000009
【図８】
2005095304.tif 000010